(57)【要約】      （修正有）【課題】衛生用紙入りカートンの上面部に露出しているペーパーを簡易な方法で覆い、非使用時におけるカートンの美観を保つと共に、ペーパーに塵や埃等が付着したり、カートン内部に異物が侵入することを防止する。【解決手段】ペーパー２の取り出し口を有する上面部１２が底面部１３と対向して配置された、略かまぼこ型（略ドーム型）のカートン本体１０に、カーブした第二側面部１５に沿う様なスライド式のカバー２０を、カバー２０のスライドを可能とするガイド３０と共に一体的に形成した衛生用紙入りカートン。【選択図】図２
0003142276.tif 000002
【実用新案登録請求の範囲】
【請求項１】
衛生用紙としてのペーパーが所定枚数互い違いに折り重ねられて収納された衛生用紙入りカートンであって、
底面部と、前記底面部と対向して配置され前記ペーパーの取り出し口である開口部を有する上面部と、長手方向の第一側面部と、カーブした第二側面部とを備えた、長手方向に垂直な断面が略半円形状の箱体であるカートン本体と、
前記開口部及び前記開口部から露出した前記ペーパーを、前記第二側面部に沿って前記開口部を覆う方向にスライドさせることによって覆い、前記第二側面に沿って前記開口部を露出させる方向にスライドさせることによって、前記ペーパーの取り出しを妨げない様に前記開口部を露出させるカバーと、
前記カバーのスライドを可能にするガイドとを備えた衛生用紙入りカートン。
【請求項２】
前記カートン本体の前記上面部が、前記底面部と平行な水平面、又は凹面として形成された請求項１に記載の衛生用紙入りカートン。
【請求項３】
前記カバーが、前記カートン本体の前記第二側面部のカーブに沿ってスライドし、一方の前記第二側面部から、対向するもう一方の前記第二側面部にかけて、前記上面部を跨ぐようにして、前記開口部及び前記開口部から露出した前記ペーパーを覆う、請求項１又は２に記載の衛生用紙入りカートン。
【請求項４】
前記ガイドが、前記カバーがスライドする隙間を形成する隙間形成部、又は前記カバーが取り付けられスライドするレールとして構成された請求項１〜３のいずれか一項に記載の衛生用紙入りカートン。
【請求項５】
前記カバーが、あらかじめ前記カートン本体の前記第二側面部のカーブに沿う様に形状保持された請求項１〜４のいずれか一項に記載の衛生用紙入りカートン。
【請求項６】
紙製である請求項１〜５のいずれか一項に記載の衛生用紙入りカートン。
【請求項７】
前記開口部に異物侵入防止用のフィルムを設けない請求項１〜６のいずれか一項に記載の衛生用紙入りカートン。
【考案の詳細な説明】
【技術分野】
【０００１】
本考案は、衛生用紙入りカートン（以後、単にカートンともいう）に関する。さらに詳しくは、カートンの開口部を覆うことのできるスライド式のカバーがカバーのスライドを可能にするガイドと共に、カートン本体と一体的に形成された衛生用紙入りカートンに関する。
【背景技術】
【０００２】
衛生用紙製品には、ティシュペーパー、トイレットペーパー、キッチンペーパー、ペーパータオル等、様々な種類があるが、一般に、長尺なペーパーがロール状に巻き取られた状態、又は、所定のサイズのシート状パーパーが複数枚折り重ねられたものがカートン等に収納された状態で、実使用に供される。特にティシュペーパーやキッチンペーパー等は、複数の同サイズのシート状ペーパーが互い違いに折り重ねられ、厚紙製のカートンに収納されたものが多く普及している。使用の際には、カートン上面部に設けられた開口部より一枚ずつペーパーを引き出すが、それぞれのペーパーが互い違いに折り重ねられていることにより、一枚取り出すと同時に後続のペーパーが引き上げられ、カートンの開口部からその半分程が露出した状態となる。
【０００３】
上記のような仕様の衛生用紙入りカートンは、ペーパーの引き出し易さという観点からは好ましいものであるが、常にペーパーが露出している為に、外観上の美しさが損なわれる他、ペーパーに塵や埃等のゴミが付着したり、カートンの開口部から、ゴミや虫等が内部に侵入したりするなど、衛生面での問題がある。
【０００４】
カートンの開口部から内部に異物が侵入するのを防ぐ為に、開口部に樹脂フィルムを設けたものが一般に普及しているが、近年、環境への意識の高まりから、フィルムを使用していないカートンもあり、それらを含む衛生用紙入りカートンを清潔に保管、使用する為に、カートンを収納するケースや、カートン上面部に被せるカバー等が開示されている（特許文献１〜４参照）。
【０００５】
【特許文献１】実用新案登録第３０９１９２５号公報
【特許文献２】特開２００３−３２７２４１号公報
【特許文献３】特開平９−２６７８７５号公報
【特許文献４】実開平７−１７１９６号公報
【考案の開示】
【考案が解決しようとする課題】
【０００６】
しかしながら、上記の様な解決方法においては、消費者は、ケースや外付けのカバー等を別途入手する必要があり、余分な出費が発生する。また、取り付けの手間もかかる。更に、露出したペーパーを完全に覆うことができなかったり、カートンが嵩高くなったりカバーの動作にスペースを要する為に周囲に物を置くことができなかったりという問題がある。
【０００７】
本考案は、かかる従来の課題に鑑みてなされたものであり、簡易で衛生的な、省設置スペースを実現した衛生用紙入りカートンを提供する。
【課題を解決するための手段】
【０００８】
本考案者は、前記のような従来技術の課題を解決する為に鋭意検討した結果、ペーパーの取り出し口を有する上面部が底面部と対向して配置された、略かまぼこ型（略ドーム型）のカートンに、そのカーブした側面部に沿う様なスライド式カバーを、カバーのスライドを可能にするガイドと共に一体的に形成することによって上記課題が解決されることに想到し、本考案を完成させた。即ち、本考案によって以下の衛生用紙入りカートンが提供される。
【０００９】
［１］  衛生用紙としてのペーパーが所定枚数互い違いに折り重ねられて収納された衛生用紙入りカートンであって、底面部と、前記底面部と対向して配置され前記ペーパーの取り出し口である開口部を有する上面部と、長手方向の第一側面部と、カーブした第二側面部とを備えた、長手方向に垂直な断面が略半円形状の箱体であるカートン本体と、前記開口部及び前記開口部から露出した前記ペーパーを、前記第二側面部に沿って前記開口部を覆う方向にスライドさせることによって覆い、前記第二側面に沿って前記開口部を露出させる方向にスライドさせることによって、前記ペーパーの取り出しを妨げない様に前記開口部を露出させるカバーと、前記カバーのスライドを可能にするガイドとを備えた衛生用紙入りカートン。
【００１０】
［２］  前記カートン本体の前記上面部が、前記底面部と平行な水平面、又は凹面として形成された前記［１］に記載の衛生用紙入りカートン。
【００１１】
［３］  前記カバーが、前記カートン本体の前記第二側面部のカーブに沿ってスライドし、一方の前記第二側面部から、対向するもう一方の前記第二側面部にかけて、前記上面部を跨ぐようにして、前記開口部及び前記開口部から露出した前記ペーパーを覆う、前記［１］又は［２］に記載の衛生用紙入りカートン。
【００１２】
［４］  前記ガイドが、前記カバーがスライドする隙間を形成する隙間形成部、又は前記カバーが取り付けられスライドするレールとして構成された前記［１］〜［３］のいずれかに記載の衛生用紙入りカートン。
【００１３】
［５］  前記カバーが、あらかじめ前記カートン本体の前記第二側面部のカーブに沿う様に形状保持された前記［１］〜［４］のいずれかに記載の衛生用紙入りカートン。
【００１４】
［６］  紙製である前記［１］〜［５］のいずれかに記載の衛生用紙入りカートン。
【００１５】
［７］  前記開口部に異物侵入防止用のフィルムを設けない前記［１］〜［６］のいずれかに記載の衛生用紙入りカートン。
【考案の効果】
【００１６】
本考案の衛生用紙入りカートンは、開口部から露出したペーパーを破断することなく完全に覆うことのできるカバーを備えており、非使用時におけるカートンの美観を保つと共に、ペーパーに塵や埃等のゴミが付着したり、カートンの開口部から、ゴミや虫等が内部に侵入したりすることを防止できる。また、上記カバーはあらかじめカートン本体と一体化しているため、消費者は、カートン用収納ケースや外付けカバーを別途購入したり、取り付けたりする手間を取られることなく、開封後も衛生用紙を清潔に保つことができる。更に、最小限の動作で済むスライド式カバーを採用したことにより、余分な設置スペースを要することもない。
【００１７】
本考案の衛生用紙入りカートンは、コンパクトで、衛生的に使用でき、インテリア性をも兼ね備えたカートンとして、室内、車内、屋外等において好適に用いられる。
【考案を実施するための最良の形態】
【００１８】
以下、本考案の衛生用紙入りカートンの実施の形態を、図面を参照しながら詳細に説明するが、本考案は、これに限定されて解釈されるものではなく、本考案の範囲を逸脱しない限りにおいて、当業者の知識に基づいて、種々の変更、修正、改良を加え得るものである。
【００１９】
（実施形態１）
図１は、本考案の衛生用紙入りカートンの実施形態１において、カバーが開口部を覆っている状態を模式的に示す斜視図であり、図２は、実施形態１において、カバーが開口部を覆っていない状態を示す斜視図である。但し、作図の都合上、図１については、カートン内部のペーパー及び開口部から露出したペーパーを、図２については、カートン内部のペーパーを、図面から捨象した。尚、以降特に断りのない限り、断面とは、カートン本体の長手方向に対して垂直な平面で切断した断面を意味する。
【００２０】
図１及び図２にある衛生用紙入りカートン１は、底面部１３と、底面部１３と対向して配置されペーパー２の取り出し口である開口部１１を有する上面部１２と、第一側面部１４と、カーブした第二側面部１５とを備えた、長手方向に垂直な断面が略半円形状の箱体であるカートン本体１０と、開口部１１及び開口部１１から露出したペーパー２を、第二側面部１５に沿って開口部１１を覆う方向にスライドさせることによって覆い、第二側面部１５に沿って開口部１１を露出させる方向にスライドさせることによって、ペーパー２の取り出しを妨げない様に開口部１１を露出させるカバー２０と、カバー２０のスライドを可能にするガイド３０とを備えた構成となっている。
【００２１】
カートン本体１０は、上面部１２が底面部１３と平行な水平面として形成され、その断面が略半円形状に形成された略かまぼこ型（略ドーム型）の箱体である。即ち、第一側面部１４は、半円の上部を薄く水平に切り取った形状をしており、カートン本体１０は、かまぼこの上部を薄く水平に切り取った形状をしている。このような形状とすることにより、カバー２０が上面部１２を跨いで開口部１１を覆った際に、上面部１２とカバー２０の間に隙間ができ、開口部１１から露出したペーパー２を潰したり破断したりすることなく、完全に覆うことが可能となる。上面部１２は、上面部１２とカバー２０の間にペーパー２を潰すことなく保存できる隙間が確保できる範囲において、凸面、水平面、凹面等どの様な形状であっても良いが、確実に隙間を形成する為には、水平面又は凹面であることがより好ましい。図１０に、上面が凹面であるカートン本体１０の模式的断面図を示す。但し、作図の都合上、図１０においてはガイドを図面から捨象した。
【００２２】
カートン本体１０の上面部１２は、ペーパー２の取り出し口である開口部１１を備えている。開口部１１は、上面部１２中央の、あらかじめ切込線によって囲まれた部分（開口部形成予定部）を上方に引き剥がすことによって形成される。また、開口部１１は、一般に普及しているカートンの様に、内部に異物が侵入するのを防ぐ為のフィルムを設けていても良いが、環境への配慮から、フィルムを設けない方が好ましい。本考案の衛生用紙入りカートン１においては、カバー２０が、異物侵入防止用フィルムに代わってその役割を果たすので、開口部１１に樹脂製のフィルムを貼着する必要が無く、環境に優しいだけでなく、ゴミ分別の手間も省くことができる。
【００２３】
カートン本体１０の材質としては、通常の衛生用紙入りカートンの材質として広く知られているもの、例えば、厚手の紙を用いることができる。この紙は、木材パルプまたは回収紙を原料として製造することができ、厚さ３５０〜５００μｍ、坪量３００〜４５０ｇ／ｍ２のものが広く用いられており、厚さ３５０〜４００μｍ、坪量３００〜４００ｇ／ｍ２のものがより好ましい。
【００２４】
図１に示す様に、実施形態１のカバー２０は、カートン本体１０の第二側面部１５のカーブに沿ってスライドし、一方の第二側面部１５ａから、対向するもう一方の第二側面部１５ｂにかけて、上面部１２を跨ぐようにして、開口部１１及び開口部１１から露出したペーパー２を覆う。ペーパー２の取り出し時には、図２に示す様に、第二側面部１５のカーブに沿って下方向（底面部方向）にスライドさせ、ペーパー２の取り出しを妨げない様に開口部１１を露出させることができる。カバー２０がカートン本体１０の長手方向にスライドする様な構成とすることも可能であるが、開口部１１の形状を、ペーパー２を引き出す為に最も好ましい形状である、カートン本体１０の長手方向に細長い形状とした場合に、スライドしたカバー２０がカートン本体１０からはみ出してしまうことがある。また、カバー２０がカートン本体１０からはみ出さないように構成すると、開口部１１及び開口部１１から露出したペーパー２を完全に覆うことができないことがある（特許文献２参照）。一方、カバー２０が、カートン本体１０の第二側面部１５のカーブに沿って、長手方向と垂直方向にスライドする様に構成すると、開口部１１及び開口部１１から露出したペーパー２を完全に覆うことができ、且つカバー２０がカートン本体１０からはみ出すことも無く好ましい。また、片手でのスムーズなスライドを実現する為に、カバー２０は、あらかじめカートン本体１０の第二側面部１５のカーブに沿う様に形状保持されていることが好ましい。
【００２５】
カバー２０の形状及びサイズとしては、ペーパー２の引き出し口である開口部１１及び開口部１１から露出したペーパー２を完全に覆うことのできる面積を有し、且つペーパー２の取り出し時にスライドさせた際には、ペーパー２の取り出しを妨げない程度に開口部１１を露出させることのできる範囲のものであれば良く、カートン本体１０や開口部１１等の形状及びサイズに応じて適宜決定すれば良い。
【００２６】
カバー２０の材質としては、薄く、柔軟性を有し、且つ一定の強度を備えたものであれば特に限定されることはないが、形状保持の容易さ、カートンの外観の統一性、環境への配慮等の観点から、カートン本体１０の材質と同質の厚手の紙を用いることが好ましい。
【００２７】
実施形態１のガイド３０は、カバー２０がスライドする隙間を形成する隙間形成部として構成されている。図３は実施形態１を構成するガイド３０にカバー２０がスライドする様子を示す要部模式図である。図３に示す様に、ガイド３０は、ガイド固定部３１（斜線部分）でカートン本体１０に接着されており、ガイド３０の非接着部分とカートン本体１０の間の隙間に、カバー２０がスライドする構成となっている。ガイド３０は、カートン本体１０のカーブした第二側面部１５ａ及び対向する第二側面部１５ｂの双方において左右それぞれに備えられており、カバー２０が、常に少なくともいずれかの第二側面部１５上のガイド３０に嵌っているように設計されており、カバー２０が、ガイド３０から滑り落ちてしまうことなく、スムーズにカートン本体１０のカーブに沿ってスライドするようになっている。
【００２８】
ガイド３０の形状及びサイズに関しては、カバー２０がスライドする隙間を形成し、カバー２０が常に少なくともいずれかの第二側面部１５上のガイド３０に嵌っている構成であれば特に限定はなく、カバー２０の形状及びサイズに応じて適宜決定すれば良い。図１〜３には、ガイド３０がそれぞれの第二側面部１５の左右に分かれて配置されている形態を示したが、図４に示す様に、左右の２つのガイド３０のガイド固定部３１がひとつながりとなり一つのガイド３０となったものや、図５に示すように、３方向の縁部をガイド固定部３１とし、袋状に隙間を形成した長方形状のガイド３０等、所望のものとすることができる。
【００２９】
ガイド３０の材質としては、カートン本体１０に接着可能で、一定の厚みと強度を備えたものであれば特に限定されることはないが、カートンの外観の統一性、環境への配慮等の観点から、カートン本体１０の材質と同質の厚手の紙を用いることが好ましい。
【００３０】
（実施形態２）
図７は、本考案の実施形態２において、カバーが開口部を覆っている状態を模式的に示す斜視図であり、図８は、実施形態２において、カバーが開口部を覆っていない状態を模式的に示す斜視図である。但し、作図の都合上、図７については、カートン内部のペーパー及び開口部から露出したペーパーを、図８については、カートン内部のペーパーを、図面から捨象した。
【００３１】
実施形態２では、ガイド３０は、カバー２０が取り付けられスライドするレールとして構成されている。例えば、図７及び図８に示す衛生用紙入りカートン１００の場合、カートン本体１０のカーブした第二側面部１５のいずれかにあらかじめ設けられた切込線を破断することによって形成される溝が、レールとしてガイド３０の役割を果たす。実施形態２におけるカバー２０は、図９に示す様に、ガイド３０に取り付けることを可能とする折込部２１を有している。この折込部２１をカバー２０の内側に折り込むと共に、溝状レールであるガイド３０に差し込むようにして取り付けを行う。カバー２０は、折込部２１によってガイド３０に引っ掛かり、ガイド３０から脱落しない構成となっている為、ガイド３０は、第二側面部１５のいずれか片方に設けてあれば良い。また、カートン本体１０に設けられた溝をレールとする代わりに、図６に示す様に、両端にガイド固定部３１を設けた帯状のガイド３０を第二側面部１５の左右に配置し、レールとして機能させることも可能である。
【００３２】
実施形態２におけるガイド３０及びカバー２０以外の構成要素、及び、その作用、効果については、実施形態１と同様である。
【産業上の利用可能性】
【００３３】
以上の様に、本考案の衛生用紙入りカートンは、非使用時におけるカートンの美観を保つと共に、開封後も衛生用紙を清潔に保存することができる為、消費者が安心して使用することを可能とする。一般的室内のほか、病院、宿泊施設、レストラン等、特に衛生上注意の必要とされる場所において、また、車内や屋外においても好適に用いられ、産業上の利用価値は大なるものである。
【図面の簡単な説明】
【００３４】
【図１】本考案の衛生用紙入りカートンの実施形態１において、カバーが開口部を覆っている状態を模式的に示す斜視図である。
【図２】本考案の衛生用紙入りカートンの実施形態１において、カバーが開口部を覆っていない状態を模式的に示す斜視図である。
【図３】本考案の衛生用紙入りカートンの実施形態１を構成するガイドに、カバーがスライドする様子を示す要部模式図である。
【図４】本考案の衛生用紙入りカートンを構成するガイドに、カバーがスライドする様子を示す要部模式図である。
【図５】本考案の衛生用紙入りカートンを構成するガイドに、カバーがスライドする様子を示す要部模式図である。
【図６】本考案の衛生用紙入りカートンを構成するガイドに、カバーがスライドする様子を示す要部模式図である。
【図７】本考案の衛生用紙入りカートンの実施形態２において、カバーが開口部を覆っている状態を模式的に示す斜視図である。
【図８】本考案の衛生用紙入りカートンの実施形態２において、カバーが開口部を覆っていない状態を模式的に示す斜視図である。
【図９】本考案の衛生用紙入りカートンの実施形態２を構成するカバーを模式的に示す平面図である。
【図１０】本考案の衛生用紙入りカートンの長手方向に垂直な断面を模式的に示す断面図である。
【符号の説明】
【００３５】
１，１００：衛生用紙入りカートン、２：ペーパー、１０：カートン本体、１１：開口部、１２：上面部、１３：底面部、１４：第一側面部、１５，１５ａ，１５ｂ：第二側面部、２０：カバー、２１：折込部、３０：ガイド、３１：ガイド固定部。
【図１】
0003142276.tif 000003
【図２】
0003142276.tif 000004
【図３】
0003142276.tif 000005
【図４】
0003142276.tif 000006
【図５】
0003142276.tif 000007
【図６】
0003142276.tif 000008
【図７】
0003142276.tif 000009
【図８】
0003142276.tif 000010
【図９】
0003142276.tif 000011
【図１０】
0003142276.tif 000012